(57)【要約】【課題】利用者が充電状態や電池残量等を表示する色を自由に設定する。【解決手段】複数の色を発光する充電ランプ１０５の発光色と充電池１０２の電池残量との対応付けが入力部１０４にて入力され、入力された対応付けが発光色データベース１０６に記憶され、電池残量測定部１０３にて測定された充電池１０２の電池残量に応じて、発光色データベース１０６に記憶された対応付けに基づいた発光色で充電ランプ１０５が発光される。【選択図】図１
2008064535.tif 000002
【特許請求の範囲】
【請求項１】
動作電源として使用される充電池が搭載された充電池搭載機器であって、
複数の色を発光する発光素子と、
前記発光素子の発光色を制御する制御手段と、
前記充電池の電池残量を測定する電池残量測定手段と、
前記電池残量と前記発光素子の発光色との対応付けを入力する入力手段と、
前記入力手段によって入力された対応付けを記憶する発光色データベースとを有し、
前記制御手段は、前記電池残量測定手段によって測定された電池残量に応じて、前記発光色データベースに記憶された対応付けに基づいた発光色で前記発光素子を発光させる充電池搭載機器。
【請求項２】
請求項１に記載の充電池搭載機器において、
前記入力手段は、前記電池残量と前記発光素子にかける電圧との対応付けを入力することを特徴とする充電池搭載機器。
【請求項３】
請求項１または請求項２に記載の充電池搭載機器において、
前記電池残量測定手段は、所定の周期で前記充電池の電池残量を測定し、
前記制御手段は、前記周期で前記発光素子を発光させることを特徴とする充電池搭載機器。
【請求項４】
請求項１または請求項２に記載の充電池搭載機器において、
外側に表示ボタンを有し、
前記制御手段は、前記表示ボタンが押されたと判断された場合、前記発光素子を発光させることを特徴とする充電池搭載機器。
【請求項５】
請求項１乃至４のいずれか１項に記載の充電池搭載機器において、
前記発光素子は、ＬＥＤであることを特徴とする充電池搭載機器。
【請求項６】
請求項１乃至５のいずれか１項に記載の充電池搭載機器において、
前記充電池搭載機器は、携帯端末であることを特徴とする充電池搭載機器。
【請求項７】
請求項１乃至５のいずれか１項に記載の充電池搭載機器において、
前記充電池搭載機器は、ノート型ＰＣであることを特徴とする充電池搭載機器。
【発明の詳細な説明】
【技術分野】
【０００１】
本発明は、動作電源として使用される充電池が搭載された充電池搭載機器に関する。
【背景技術】
【０００２】
近年、動作電源として充電池を用いた電子機器が、生活のあらゆる場所に存在している。この充電池は、例えば、携帯端末や、ノート型ＰＣ（パーソナルコンピュータ）等、移動可能な電子機器に多く搭載されている。
【０００３】
最も身近なものとして、携帯電話を例に挙げて説明する。携帯電話においては、充電池への充電中は充電ランプが点灯し、充電が完了すると充電ランプが消灯、または、充電ランプの色が変わるというものが一般的である。これにより、充電中であるか、あるいは充電が完了したかを利用者が判断することができるが、充電中の残り時間等を知ることはできない。
【０００４】
また、充電池の電池残量については、ディスプレイ上に所定の小さな表示で示されるに過ぎないため、利用者が認識し辛い。
【０００５】
そこで、機器に搭載された充電池への充電状態や充電池の電池残量等について、当該機器に搭載されているＬＥＤを用いて表示する技術が考えられている（例えば、特許文献１〜４参照。）。
【０００６】
これら特許文献に記載された技術は、充電池への充電状態や充電池の電池残量等に応じて、ＬＥＤの色を変化させるものである。これにより、充電池への充電状態や充電池の電池残量等を利用者がディスプレイを覗き込んだりすることなく、容易に確認することができる。
【特許文献１】特開平１１−２９９１４４号公報
【特許文献２】特開２００２−１６４９７４号公報
【特許文献３】特開昭５８−０２６５３４号公報
【特許文献４】特表２００５−５３６０２５号公報
【発明の開示】
【発明が解決しようとする課題】
【０００７】
しかしながら、上記特許文献に記載された方法においては、点灯するＬＥＤの発光色を利用者が自由に設定することができないという問題点がある。
【０００８】
本発明は、上述したような従来の技術が有する問題点に鑑みてなされたものであって、利用者が充電状態や電池残量等を表示する色を自由に設定することができる充電池搭載機器を提供することを目的とする。
【課題を解決するための手段】
【０００９】
上記目的を達成するために本発明は、
動作電源として使用される充電池が搭載された充電池搭載機器であって、
複数の色を発光する発光素子と、
前記発光素子の発光色を制御する制御手段と、
前記充電池の電池残量を測定する電池残量測定手段と、
前記電池残量と前記発光素子の発光色との対応付けを入力する入力手段と、
前記入力手段によって入力された対応付けを記憶する発光色データベースとを有し、
前記制御手段は、前記電池残量測定手段によって測定された電池残量に応じて、前記発光色データベースに記憶された対応付けに基づいた発光色で前記発光素子を発光させる。
【００１０】
また、前記入力手段は、前記電池残量と前記発光素子にかける電圧との対応付けを入力することを特徴とする。
【００１１】
また、前記電池残量測定手段は、所定の周期で前記充電池の電池残量を測定し、
前記制御手段は、前記周期で前記発光素子を発光させることを特徴とする。
【００１２】
また、外側に表示ボタンを有し、
前記制御手段は、前記表示ボタンが押されたと判断された場合、前記発光素子を発光させることを特徴とする。
【００１３】
また、前記発光素子は、ＬＥＤであることを特徴とする。
【００１４】
また、前記充電池搭載機器は、携帯端末であることを特徴とする。
【００１５】
また、前記充電池搭載機器は、ノート型ＰＣであることを特徴とする。
【００１６】
上記のように構成された本発明においては、複数の色を発光する発光素子の発光色と充電池の電池残量との対応付けが入力手段にて入力され、入力された対応付けが発光色データベースに記憶され、電池残量測定手段にて測定された充電池の電池残量に応じて、発光色データベースに記憶された対応付けに基づいた発光色で発光素子が発光される。
【発明の効果】
【００１７】
以上説明したように本発明においては、複数の色を発光する発光素子の発光色と充電池の電池残量との対応付けを入力手段が入力し、入力された対応付けを発光色データベースが記憶し、電池残量測定手段が測定した充電池の電池残量に応じて、発光色データベースに記憶された対応付けに基づいた発光色で制御手段が発光素子を発光させる構成としたため、利用者が充電状態や電池残量等を表示する色を自由に設定することができる。
【発明を実施するための最良の形態】
【００１８】
以下に、本発明の実施の形態について図面を参照して説明する。
【００１９】
図１は、本発明の充電池搭載機器の実施の一形態を示す図である。
【００２０】
本形態は図１に示すように、充電部１０１と、充電池１０２と、電池残量測定部１０３と、入力部１０４と、充電ランプ１０５と、発光色データベース１０６と、これらを制御する制御部１０７とから構成されている。
【００２１】
充電部１０１は、外部の充電器やＡＣ電源等に接続して本充電池搭載機器を動作させるための電源である充電池１０２を充電する。充電池１０２は、本充電池搭載機器を動作させるための電源である。電池残量測定部１０３は、充電池１０２の電池残量を測定する。入力部１０４は、利用者が本充電池搭載機器に情報を入力するためのキーボード等の入力手段である。充電ランプ１０５は、複数の色を発光するＬＥＤ等の発光素子である。発光色データベース１０６は、充電池１０２の電池残量と充電ランプ１０５の発光色とを対応付けて記憶する記憶手段である。ここで、図１において示した構成要素は、本発明に関わる構成要素のみを示した。
【００２２】
図２は、図１に示した発光色データベース１０６に記憶されたデータ構造の一例を示す図である。ここでは、図１に示した充電ランプ１０５が、緑の素子と赤の素子とが内蔵されたＬＥＤである場合を例に挙げて説明する。
【００２３】
図２に示した発光色データベース１０６に記憶されたデータ構造は、充電池１０２の電池残量と、充電ランプ１０５の緑の素子にかける電圧率と、充電ランプ１０５の赤の素子にかける電圧率と、充電ランプ１０５の発光色とが対応付けられたデータ構造となっている。ここで、緑の素子にかける電圧率及び赤の素子にかける電圧率とは、それぞれの素子が最大に発光する電圧を１００％とし、それに対する電圧の割合である。
【００２４】
例えば、充電池１０２の電池残量が１０％以下である場合、充電ランプ１０５の緑の素子にかける電圧率は０％であり、充電ランプ１０５の赤の素子にかける電圧率は１００％であり、その結果、充電ランプ１０５の発光色が赤色になることが記憶されている。また、充電池１０２の電池残量が２５％である場合、充電ランプ１０５の緑の素子にかける電圧率は２５％であり、充電ランプ１０５の赤の素子にかける電圧率は７５％であり、その結果、充電ランプ１０５の発光色が橙色になることが記憶されている。また、充電池１０２の電池残量が５０％である場合、充電ランプ１０５の緑の素子にかける電圧率は５０％であり、充電ランプ１０５の赤の素子にかける電圧率は５０％であり、その結果、充電ランプ１０５の発光色が黄色になることが記憶されている。また、充電池１０２の電池残量が７５％である場合、充電ランプ１０５の緑の素子にかける電圧率は７５％であり、充電ランプ１０５の赤の素子にかける電圧率は２５％であり、その結果、充電ランプ１０５の発光色が黄緑色になることが記憶されている。また、充電池１０２の電池残量が１００％である場合、充電ランプ１０５の緑の素子にかける電圧率は１００％であり、充電ランプ１０５の赤の素子にかける電圧率は０％であり、その結果、充電ランプ１０５の発光色が緑色になることが記憶されている。
【００２５】
これらの情報は、利用者が入力部１０４から入力することにより、任意に設定することが可能である。
【００２６】
上記の例では、発光色が５種類に設定されているが、さらに多くの種類に設定することも可能である。また、少ない種類に設定することが可能であることは言うまでもない。さらに、上記の例のように発光色が断続的（段階的）に変化するような設定ではなく、発光色が連続的（線形的）に変化するような設定も可能である。
【００２７】
図３は、図１に示した発光色データベース１０６に記憶されたデータ構造の他の例を示す図である。
【００２８】
図３に示した発光色データベース１０６に記憶されたデータ構造は、図２に示した発光色データベース１０６に記憶されたデータ構造と同様に、充電池１０２の電池残量と、充電ランプ１０５の緑の素子にかける電圧率と、充電ランプ１０５の赤の素子にかける電圧率と、充電ランプ１０５の発光色とが対応付けられたデータ構造となっている。
【００２９】
図２に示した発光色データベース１０６に記憶されたデータ構造との違いは、充電池１０２の電池残量が１０％〜１００％の範囲について、充電ランプ１０５の緑の素子の電圧率と充電ランプ１０５の赤の素子の電圧率とが連続的に変化するように設定されている点である。
【００３０】
例えば、充電池１０２の電池残量が１０％から１００％へ変化する場合、充電ランプ１０５の緑の素子にかける電圧率は０％から１００％へ変化し、充電ランプ１０５の赤の素子にかける電圧率は１００％から０％へ変化することが記憶されている。
【００３１】
これにより、充電池１０２の電池残量が１０％以下から１００％へ変化するにしたがって、視覚的には充電ランプ１０５の発光色が赤色から緑色へ徐々に変化していくのがわかることとなる。また、充電池１０２の電池残量が１００％から１０％以下へ変化するにしたがって、視覚的には充電ランプ１０５の発光色が緑色から赤色へ徐々に変化していくのがわかることとなる。
【００３２】
図４は、図３に示した発光色データベース１０６に記憶されたデータ構造のように充電ランプ１０５の発光色が連続的に変化するような設定が行われた場合の充電池１０２の電池残量と充電ランプ１０５の緑の素子の電圧率及び充電ランプ１０５の赤の素子の電圧率との関係を示す図である。
【００３３】
図４に示すように、図３に示した設定が行われることにより、充電池１０２の電池残量の変化に対して、充電ランプ１０５の緑の素子の電圧率及び充電ランプ１０５の赤の素子の電圧率が連続的に変化することとなる。
【００３４】
以下に、上記のように構成された充電池搭載機器における処理を説明する。
【００３５】
図５は、図１に示した充電地搭載機器における処理を説明するためのフローチャートである。
【００３６】
まず、利用者によって入力部１０４から充電池１０２の電池残量と充電ランプ１０５の発光色との対応付けが入力されると、入力された対応付けが制御部１０７によって発光色データベース１０６に記憶される（ステップＳ１）。この対応付けは、図２及び図３に示したように、充電池１０２の電池残量と充電ランプ１０５の緑の素子の電圧率と充電ランプ１０５の赤の素子の電圧率とが対応付けられているものである。
【００３７】
その後、電池残量測定部１０３にて充電池１０２の電池残量が測定される（ステップＳ２）と、測定された電池残量に対応付けられた充電ランプ１０５の緑の素子の電圧率と充電ランプ１０５の赤の素子の電圧率とが制御部１０７によって発光色データベース１０６から取得される（ステップＳ３）。
【００３８】
そして、取得された緑の素子の電圧率に基づいた電圧が充電ランプ１０５の緑の素子にかけられ、また、赤の素子の電圧率に基づいた電圧が充電ランプ１０５の赤の素子にかけられ、充電ランプ１０５が発光する（ステップＳ４）。
【００３９】
充電池１０２の電池残量を充電ランプ１０５に常時表示させたい場合は、所定の周期でステップＳ２〜Ｓ４の処理が繰り返されるものであっても良い。また、充電池１０２の電池残量を知りたいときにだけ充電池１０２の電池残量を充電ランプ１０５に表示させたい場合は、入力部１０４からの入力等をトリガにして、ステップＳ２〜Ｓ４の処理が行われるものであっても良い。
【００４０】
以上、充電ランプ１０５が、緑の素子と赤の素子とが内蔵されたＬＥＤである場合を例に挙げて説明したが、緑の素子と赤の素子と青の素子とが内蔵されたＬＥＤであっても良い。この場合は、充電ランプ１０５の緑の素子の電圧率と充電ランプ１０５の赤の素子の電圧率と充電ランプ１０５の青の素子の電圧率とが発光色データベース１０６に設定されることとなる。
【００４１】
なお、以上説明した本発明は、充電地１０２の電池残量を示すものであるため、使用中の電池残量を表示するもののほかに、充電中の電池の充電状態を表示するものとしても使用することができる。
【００４２】
図６は、本発明の充電池搭載機器が携帯端末である場合の当該携帯端末の外観を示す図である。
【００４３】
図６に示すように本形態を有する携帯端末１１０には、充電ランプ１０５と、表示ボタン１１１とが設けられている。利用者によって表示ボタン１１１が押された場合、充電池１０２の電池残量が充電ランプ１０５によって表示される。
【００４４】
これにより、充電池１０２の電池残量を知りたいときにだけ、充電ランプ１０５を発光させることができ、充電ランプ１０５の発光による電力の消費を最低限に抑えることが可能となる。
【００４５】
なお、充電ランプ１０５を新たに設けずに、充電池搭載機器に具備されたディスプレイの背景や全体の色を充電池１０２の電池残量に応じて変化させるものであっても良い。
【図面の簡単な説明】
【００４６】
【図１】本発明の充電池搭載機器の実施の一形態を示す図である。
【図２】図１に示した発光色データベースに記憶されたデータ構造の一例を示す図である。
【図３】図１に示した発光色データベースに記憶されたデータ構造の他の例を示す図である。
【図４】図３に示した発光色データベースに記憶されたデータ構造のように充電ランプの発光色が連続的に変化するような設定が行われた場合の充電池の電池残量と充電ランプの緑の素子の電圧率及び充電ランプの赤の素子の電圧率との関係を示す図である。
【図５】図１に示した充電地搭載機器における処理を説明するためのフローチャートである。
【図６】本発明の充電池搭載機器が携帯端末である場合の当該携帯端末の外観を示す図である。
【符号の説明】
【００４７】
１０１    充電部
１０２    充電池
１０３    電池残量測定部
１０４    入力部
１０５    充電ランプ
１０６    発光色データベース
１０７    制御部
１１０    携帯端末
１１１    表示ボタン
【図１】
2008064535.tif 000003
【図２】
2008064535.tif 000004
【図３】
2008064535.tif 000005
【図４】
2008064535.tif 000006
【図５】
2008064535.tif 000007
【図６】
2008064535.tif 000008